(57)【要約】【解決手段】  本発明は、組織内で又は該組織に接触した状態で調整可能な生体電位又は他の物理量を監視する接触電極部、接触電極部に取り付けられた導電ワイヤ（２）、導電材料、非導電材料、及び信号処理電子回路を備える電極検出器に関する。本電極検出器は、生体電位又は他の物理量を監視するためボール形状又は略ボール形状の接触電極部（１）と取り付け部（４）とを備える。該電極部のカバー部（１ｂ）は、組織に無毒の材料ででき、該接触電極部の導電部は、該接触電極部（１）それ自体内に設けられた電子回路を通して、可撓性のワイヤ（２）の導電内側部（２ａ）にガルヴァーニ電気的に、容量的に、又は、間接的に接続され、そのカバー部（２ｂ）は、組織に無毒で、電気絶縁材料からなる。取り付け部（４）は、その内部の電子回路を通して、ガルヴァーニ電気的に、容量的に、又は、間接的に電極検出器のワイヤ（２）に接続又は接続可能であり、該取り付け部内の要素／材料又は測定されるべき対象の近傍にある他の外部の取り付け要素／材料を用いて固定可能である。
2005524434.tif 000002
【特許請求の範囲】
【請求項１】
組織内で又は該組織に接触した状態で調整可能となる、生体電位又は他の物理量を監視するための接触電極部と、
前記接触電極部に取り付けられた導電ワイヤ（２）と、
電気を通す材料と、
電気を通さない材料と、
信号を処理する電子回路と、
を備える、電極検出器であって、
前記電極検出器は、
生体電位又は他の物理量を監視するためボール形状又は略ボール形状の接触電極部（１）であって、該電極部のカバー部（１ｂ）は、組織に無毒の材料からできており、該接触電極部の導電部は、該接触電極部（１）それ自体内に設けられた電子回路を通して、可撓性の前記ワイヤ（２）の導電内側部（２ａ）にガルヴァーニ電気的に、容量的に、又は、間接的に接続されると共に、該接触電極部のカバー部（２ｂ）は、組織に無毒で、電気を絶縁する材料からできている、前記接触電極部（１）と、
取り付け部（４）であって、該取り付け部（４）は、該取り付け部（４）内の電子回路を通して、ガルヴァーニ電気的に、容量的に、又は、間接的に、前記電極検出器の前記ワイヤ（２）に接続され又は接続可能であると共に、該取り付け部内の要素／材料又は測定されるべき対象の近傍にある他の外部の取り付け要素／材料を用いて固定することができる、前記取り付け部と、
を備えることを特徴とする、電極検出器。
【請求項２】
前記接触電極部（１）の前記カバー部（１ｂ）の領域は、１種類より多い種類の材料で被覆され、一体化された破壊不可能の境界領域を形成することを特徴とする、請求項１に記載の電極検出器。
【請求項３】
前記接触電極部（１）の前記内側部（１ａ）の材料は、固体状態にあることを特徴とする、請求項１に記載の電極検出器。
【請求項４】
前記接触電極部（１）の前記内側部（１ａ）の材料は、液体状態にあることを特徴とする、請求項１に記載の電極検出器。
【請求項５】
前記接触電極部（１）の前記内側部（１ａ）の材料は、気体状態にあることを特徴とする、請求項１に記載の電極検出器。
【請求項６】
前記接触電極部（１）の前記内側部（１ａ）の一部分は、真空状態であることを特徴とする、請求項１に記載の電極検出器。
【請求項７】
前記接触電極部（１）の前記内側部（１ａ）は、１つより多い別々の材料を含んでいることを特徴とする、請求項１に記載の電極検出器。
【請求項８】
前記取り付け部（４）には、１つ以上の電気的結合手段が設けられていることを特徴とする、請求項１に記載の電極検出器。
【請求項９】
前記取り付け部（４）には、前記導電ワイヤ（２）の前記カバー部（２ｂ）を把持する、１つ以上の結合手段が設けられていることを特徴とする、請求項１に記載の電極検出器。
【請求項１０】
前記接触電極部（１）に取り付けられた前記導電ワイヤ（２）の前記カバー部（２ｂ）には、１つ以上の取り付け要素が設けられていることを特徴とする、請求項１に記載の電極検出器。
【請求項１１】
前記取り付け部（４）には、１つ以上の取り付け要素が設けられていることを特徴とする、請求項１に記載の電極検出器。
【請求項１２】
前記取り付け部（４）の１つ以上の取り付け要素は、例えばゴム等の可撓性のあるゼラチン質材料でできていることを特徴とする、請求項１又は１１に記載の電極検出器。
【請求項１３】
前記取り付け部（４）の１つ以上の取り付け要素が可撓性のあるゼラチン質材料でできている場合、該取り付け部は、前記電極検出器全体又はその一部分を覆っていることを特徴とする、請求項１、１１又は１２に記載の電極検出器。
【請求項１４】
前記取り付け部（４）内部の前記電子回路は、差動増幅器であることを特徴とする、請求項１に記載の電極検出器。
【請求項１５】
前記接触電極部（１）内部の前記電子回路は、差動増幅器であることを特徴とする、請求項１に記載の電極検出器。
【請求項１６】
前記電極検出器の前記取り付け部（４）は、電気的に絶縁性の組織に無毒な材料で鋳造されたことを特徴とする、請求項１に記載の電極検出器。
【請求項１７】
互いに接続可能な又は接続された１つ以上の接触電極部（１）、導電ワイヤ（２）及び取り付け部（４）を備えることを特徴とする、請求項１に記載の電極検出器。
【発明の詳細な説明】
【技術分野】
【０００１】
本発明は、請求項１の前提に係る電極検出器に関する。
【背景技術】
【０００２】
テスト動物の視覚刺激に対して目の網膜の生理学的な電位差を測定するように設計された認知された技術（ＥＲＧ、網膜電位図）に基づく視覚測定法では、目を参照し、目内で調整されるべき型式のＥＲＧ応答を記録する電極は、テスト動物への麻酔又は固定を要するように構成され、それにより、生体電位を測定する電極の接触部が当該箇所への配置を十分に維持され、それらが同じサイズのＥＲＧ応答を妨害無しに測定することができるようにしている。例えば、糸電極、綿芯−Ａｇ／ＡｇＣＬ−電極、及び、金コートの接触レンズ電極は、べイヤー Ａ．Ｕ．，ミタッグ Ｔ．，クック Ｐ．，ブロディー Ｓ．Ｅ．，ポドス Ｓ．Ｍ．及びマーグ Ｋ−Ｐにより、「ゲッ歯動物における角膜閃光式網膜電位図を記録するため３つの異なる電極の、振幅サイズと再生可能性との比較」という標題で眼科学公開文書２０００年９８号の２３３〜２４６頁に記載されており、網膜の刺激のための光源を備えるペン状のポインターチップと、ＳＵ公開特許番号１６４８３３６号に記載されたＥＲＧを測定するための電極ブレードとは、目の角膜で調整可能な認知電極のこれらの型式である。
【０００３】
他方では、人間のＥＲＧ応答を測定するように設計されたが、幾つかの場合には、テスト動物を監視するため適用され得る、他の認知された電極も、それらの使用法が、測定の間に、対象が動かないことを要するような形態に設計されている。これらの方法で記述される電極は、次の通りである。
（１）  臨床用ＥＲＧ測定のためのループ状電極、所謂、ＨＫ−ループ電極である（ハウリナ Ｍ．及びコネック Ｂ．による眼科学文書１９９２年８１号の２５３〜２５９頁に記載された「臨床用網膜電位図のための新しい非角膜ＨＫ−ループ電極」；米国特許番号５１５４１７４号）
（２）目の硬化膜に配置された電極クラスターである。該電極クラスターでは、臨床的及び（テスト動物のための）実験的なＥＲＧ測定で使用するため目の表面に従うリング状で凹状の絶縁フレーム沈み込まれた幾つかの別々の電極の接触ブレードが設けられている（米国特許番号４８７４２３７号）。
（３）  心臓血管系の機能の臨床的監視及びＥＲＧのため目の角膜に配置されたコンタクトレンズ式のデバイスである（米国特許番号５２９７５５４号）。
（４）  銀で被覆され、臨床的なＥＲＧ登録のため目の角膜上で調整可能であるナイロンファイバー電極である（米国特許番号４４１７５８１号）。
（５）  臨床的及び実験的なＥＲＧ測定に適用するため角膜に取り付けられるべき、水を含んだ、所望形態に鋳造された薄膜型式の電極である（米国特許番号４７３５２０７号）。
（６）  臨床的及び実験的なＥＲＧ測定に適用するため角膜上で調整されるように、まぶたを開いた状態に保持するタップを備えた、網膜電位図の透明コートである（フランス特許出願公開番号２７１３９１３号）。
（７）  ＥＲＧ及び人間の外側頭蓋骨反射応答を測定するため可撓性プラスチックストリップに接続された、例えば下側まぶたに、皮膚に取り付けられるべき金属ストリップである（米国特許番号４２５５０２３号）。
（８）  角膜上に取り付けられるべき透明カップ電極であって、該カップ電極のエッジには、人間でＥＲＧを形成するための金属リングが設けられている（米国特許番号４１３１１１３号）。
（９）  臨床的なＥＲＧ登録のための下側まぶたの皮膚に取り付けられるべき金属ワイヤである（米国特許番号５５０６６３３号）。
【０００４】
上記参照されたほとんどの技術は、テストを受ける人間が、動かない状態に慎重に留まることができるので、ＥＲＧ及び意識のある人間の頭蓋骨の外部に反射された他の視覚的応答の登録を可能にしている。上述した技術をテスト動物を監視することに適用することは、麻酔を受けたテスト動物又は動かなくさせられたテスト動物に関するＥＲＧを登録する間に、中枢神経系の細胞の機能、かくして、通常の視力生理機能を変化させる種類の薬剤を使用しなければならないという点で、困難となる。
【０００５】
視覚監視のため設計された認知電極の共通の限界因子は、それらの形状である。これらの形状は、目若しくはその周囲組織に刺激性の変化を引き起こし、或いは、それらが目において、例えば、まぶたの下で永久的に調整されたならば目に過剰の応力を引き起こしかねない。第２には、この種の測定対象におけるそれらの永久的調整を排除する限界因子は、電極コンダクターが、それらが実際の測定システムに接続されるように提供される場合に、目から外側に向けられるようにされたという事実である。認知電極検出器と関連する第３の問題は、生体電極を測定し組織に接続される接触部が、変化する応力が目及びその回りの組織を通して該接触部に差し向けられている間に如何に当該箇所に維持されるかという事実である。他方では、前述したものに関連する問題は、測定ワイヤの可能となる移動に起因して電極の接触部に応力が向けられるべきではないという事実である。
【発明の開示】
【発明が解決しようとする課題】
【０００６】
本発明の目的は、上記問題を無くすことであり、（ａ）生体電位を測定する接触電極部が所望の場所で保持され、（ｂ）接触電極部がそれに向けられた機械的応力の下に従い、少しの移動でその場所に戻り、（ｃ）電極検出器が、機械的及び化学的な組織の損傷を引き起こさず、（ｄ）電極検出器に接続可能となる測定ワイヤの機械的応力が接触電極部に伝達されない、構成による電極検出器を提供することである。
【課題を解決するための手段】
【０００７】
本発明の目的は、請求項１で与えられる特徴の電極検出器により達成される。
本発明に係る電極検出器は、生体電位又は他の物理量を監視するためボール形状又は略ボール形状の接触電極部を備え、該電極部のカバー部は、組織に無毒の材料からできており、該接触電極部の導電部は、該接触電極部それ自体内に設けられた電子回路を通して、可撓性のワイヤの導電内側部にガルヴァーニ電気的に、容量的に、又は、間接的に接続されると共に、該接触電極部のカバー部は、組織に無毒で、電気を絶縁する材料からできている。その取り付け部は、該取り付け部内の電子回路を通して、ガルヴァーニ電気的に、容量的に、又は、間接的に、電極検出器のワイヤに接続され又は接続可能であると共に、該取り付け部内の要素／材料又は測定されるべき対象の近傍にある他の外部の取り付け要素／材料を用いて固定することができる。
【０００８】
本発明に係るボール状の接触電極部は、生体組織内に配置されるか又は生体組織に対向して配置された状態で、機械的磨耗及び刺激性変化を引き起こさない。生体信号を測定している接触電極部は、接触電極部及び取り付け部が貫通しない空間を導電ワイヤが貫通するとき、並びに、取り付け部が取り付け要素を用いて当該箇所に固定されるとき、当該箇所に留まっている。ボール形状の接触電極は、組織の運動に起因して、例えば、可撓性のワイヤに接続されている間にそれが屈従するので、測定されるべき対象にあまり多くの応力を与えない。取り付け部が内部の取り付け要素又は外部の取り付け部を用いて固定されるとき、それに接続された測定ワイヤの運動は、接触電極部へは伝達されず、電極検出器それ自体内の電子回路で処理する信号は、生体信号に対する干渉信号の相対比率を最小にする。
【０００９】
ＥＲＧ生体電位応答を測定するための前述した目的は、例えば、本発明に係るボール形状又は略ボール形状の接触電極部を用いることにより達成される。該接触電極部は、組織内の所望の位置、例えば、硬化膜に対向して、まぶたの下等に、外科的に挿入することができる。或いは、目内の適切な場所、又は、組織に外部から進入しない場所ならどこでも、適切な箇所に挿入することができる。前述した特性を備えた電極検出器は、測定に関連して外科的な処理を要することなく、例えば数ヶ月間内の様々な時刻での測定において、とりわけ、自由に動く意識のあるテスト動物の目の機能の評価、間接的には目の視神経の評価を可能にする。当然、幾つかの条件では、これらの種類の電極検出要素を用いて、人間の目のＥＲＧを測定することが可能となる。測定に関する問題が本明細書の導入部で述べられたが、前述した要求に合致する電極検出器は、監視される対象の温度、伝導度、圧力等の他の物理量の測定にも同様に適用することができる。
【００１０】
接触電極は、そのサイズが測定されるべき対象に依存しており、良好な電気的伝導度を備えた材料であれば何であれ、好ましくは、純粋な貴金属から作ることができる。導電材料が組織に有害である場合には、組織は導電材料（例えば、純銀）、又は、組織に有害な影響を及ぼさない非導電材料（例えば、テフロン（登録商標）−プラスチック）で被覆されてもよい。組織により引き起こされ、接触電極部で生じる生体電位の変化は、それに取り付けられた電気ワイヤに伝達される。該電気ワイヤは、組織に無毒な絶縁材料、例えば、テフロン（登録商標）等々で被覆されると共に組織内部に配置することが可能である。
【００１１】
導電ワイヤは、取り付け部に取り付けられ、又は、該取り付け部に動かない状態で接続可能である。該取り付け部は、その取り付け要素、及び／又は、取り付け可能な外部の取り付け要素／材料を用いて当該箇所に、測定されるべき対象の近傍で、固定することができる。取り付け部は、例えば、プラスチック、又は、類似した組織に無毒の絶縁材料で鋳造することができる。取り付け部は、ボルト又は常温硬化アクリル樹脂を用いて組織の内部か、或いは、接着剤付きステッカー若しくは吸引カップにより外部に固定することができる。電極検出器が、身体外部に、組織に対向して配置されるように計画されている場合には、取り付け部は、所望の量で電極検出器全体を取り囲む可撓性のあるゼラチン質材料（例えば、ゴム）から作られてもよい。取り付け部は、接触電極の導電ワイヤ、記録システムに接続されるべきワイヤ、及び、測定される生体信号を処理するため接続されるべき電気部品への電気コネクターを備えている。
【００１２】
電気部品は、取り付け部に外部から接続可能となる。信号を処理する電気回路は、接触電極部及び／又は取り付け部の内部に配置されてもよい。一例では、記載された電極検出器が、テスト動物の目に挿入される場合には、生態電位を測定する電極検出器の電極検出器部分は、例えば、まぶたと、目の結膜／角膜との間等の目の所望の位置に維持される。これは、（ａ）取り付け部を永久的に当該箇所に固定する能力、（ｂ）適切な曲げ強度と、曲げた後に形状が戻る能力を備えた電極検出器の導電ワイヤ、（ｃ）  組織自体が運動を回避して制限するように組織内部に配置されたワイヤの位置、（ｄ）  導電ワイヤが組織を貫通するところの組織を通る細い開口部の周囲の組織外部のボール状接触電極部の位置、（ｅ）  ボールに向けられ、その運動を制限する、まぶたと、結膜又は角膜との力、によって実現される。目又は組織筋肉の運動に起因して可変の力が接触電極部に向けられるが、これらの因子の故に、電極検出器の接触電極部は、目の表面を強い応力で拘束しない。それは、可撓性の導電ワイヤに接続されているとき、屈従するからである。
【００１３】
取り付け部は、該取り付け部に接続された測定ワイヤの運動を永久的に固定することを可能とするが、ボール状の測定電極には応力を伝達しない。このことと、取り付け部又は接触電極部それ自体において生体信号を（例えば、差動増幅器を用いて）処理可能であるという事実によって、測定されるべき生体信号に対して干渉信号を減少させることが可能となる。
【００１４】
以下、本発明を図面を参照して説明する。
【実施例】
【００１５】
図１及び図３では、身体の様々な部分が次の番号により参照される。即ち、目１４、まぶた１５、目の硬化膜１６、組織１７、骨１８、目の視神経１９、及び、上丘２０である。更にはこれらの図面を通して、次の参照番号も使用される。即ち、フラッシュ光２１、及び、光ビーム２２である。
【００１６】
図１及び図２における電極検出器は、導電ワイヤ２を備える。該導電ワイヤの一方の端部には、ボール形状又はほとんどボール形状の接触電極部１が接続された。接触電極ｂ１は、例えば、純銀、金、カーボンファイバー、又は、有利には導電性で組織に無毒の類似物等、同じ材料で全体ができていてもよい。他方では、接触電極１の内側部１ａは、組織に無毒の材料でボール形状に被覆されるが、如何なる材料、１つ又は複数の材料、如何なる形状から作られてもよい。例えば、カバー部１ｂは、ガラス、テフロン（登録商標）−プラスチック又はその類似物等のいずれかからできているが、内側部１ａは、銅、すず、銀等の固体、好ましくは、高い導電率の材料からできていてもよい。接触電極部１のカバー部１ｂが電気的な絶縁体である場合には、一般には、導電ワイヤ２のカバー部２ｂと連続的に形成されるのが好ましい（図１）。接触電極部１の領域は、互いによって境界が形成された領域からなり、例えば、様々な無毒の材料、ポリエチレンポリマー、及び、銀から形成されてもよい。接触電極部１の外径は、例えば、ラットのＥＲＧ測定の場合には、１，２ｍｍと測定できる。図２の用途では、可撓性のゼラチンリングが設けられてもよく、該リングから、ボール状の、部分的にゼラチン材料へと沈みこんだ接触電極部１が突出している。この種類の電極検出器は、その物理的特性を画定させるため組織と接触して配置することができる。
【００１７】
本発明の有利な用途では、接触電極部１の内側部１ａの材料が液体状態である。本発明の第２の有利な用途では、接触電極部１の内側部１ａの材料が気体状態である。本発明の第３の有利な用途では、接触電極部１の内側部１ａの一部分が真空であり、よって、構成体をより明るくさせている。
【００１８】
導電ワイヤ２の電流を伝導する内側部２ａは、ガルヴァーニ電気接続が問題となっており、接触電極部１で接続されると考えられる材料と同じ材料から作られるのが好ましい。接続ワイヤ２の内側部２ａは、接触電極部１内に配置されている、信号を処理する電子回路を通して、ガルヴァーニ電気的に、容量的に、又は、間接的に、接触電極１ｂの導電材料に接続されてもよい。接続ワイヤ２の内側部２ａは、良好な機械的強度を持つようにするため、多重より合わせ糸の組みひもであるのが好ましい。個々のより合わせ糸の一部分又は全ては、電気的絶縁材料で被覆されてもよい。導電ワイヤ２の内側部２ａの導電材料並びにカバー部２ｂの電気的絶縁材料は、曲げた後でもその形状に戻る材料であるのが好ましい。導電ワイヤ２のカバー部２ｂは、組織に無毒である材料、例えば、テフロン（登録商標）−プラスチック又はその類似物等でなければならない。導電ワイヤ２では、取り付け部に取り付け可能である、１又は複数の取り付け要素（図示せず）が設けられていてもよい。導電ワイヤ２の外径に対する接触電極部１の外径の比率は、例えば４：１とすることができ、又は、前者が後者よりも明らかに大きくなるようにすることができる。そのカバー部２ｂに対する導電ワイヤ２の周囲には、自由形態及び自由サイズの取り付け部４を接続してもよく、その取り付け部４は、その中の１又は複数の取り付け要素を用いて、又は、測定されるべき対象の近傍にある外部取り付け要素／材料を用いて、固定することができる。その取り付けは、例えば、接着剤付きステッカー又は吸引カップを用いて、皮膚の上で、ボルト及び常温硬化アクリル樹脂を用いて、頭蓋骨上で実現することができる。或いは、組織内部に挿入されてもよく、この場合には、周囲の組織が当該箇所で安定化させる。取り付け部の材料は、完全に又は部分的に可撓性の例えばゴム若しくはそれに類似した材料等のゼラチン質実体とすることができる。取り付け部は、例えばガラス等の硬い材料からできていてもよい。取り付け部の材料は、導電ワイヤ２及び接触電極部１の周囲に、所望の範囲に到達するようにしてもよい。例えば、接触電極部１のボール表面の半分は、目に見えるところにあり、取り付け部材料に拘束されていないようにしてもよい。
【００１９】
取り付け部４の外側表面は、組織に無毒な材料から作られている。該取り付け部内に信号を処理する電子回路を設けてもよい。取り付け部４には、導電ワイヤ２に接続されるべきカプラー３を設けてもよい。該カプラーは、（ａ）導電ワイヤ２のカバー部２ｂを把持することにより、又は、（ｂ）導電ワイヤ２の導電内側部２ａにガルヴァーニ電気的に取り付けることにより、導電ワイヤ２を当該箇所に固定する。取り付け部４では、測定ワイヤ５及び／又は外部電子回路（図示せず）のための電気カプラーを設けてもよい。導電ワイヤ２に接続される接触電極部１は、例えば、導電ワイヤを、この場合には組織の上側まぶたの下に通過させ、それを適切な距離まで皮膚下に案内することによって、テスト動物６の目に対して調整することができる。組織外部に至る導電ワイヤ２の一部分を移動させることにより、接触電極部１を、角膜又は結膜（図３）に対して目内の所望の位置に配置することができる。
【００２０】
図１による例では、電極検出器は、皮膚／組織の外部の取り付け部４を、導電ワイヤ２が皮膚／組織から突出するところの点に接続することにより、当該箇所に固定される。頭蓋骨表面上の取り付け部の固定は、ボルト及び硬化アクリル樹脂を利用することにより実現された。この技術を用いることにより、接触電極部１−導電ワイヤ２−取り付け部４の構成は、Ｆ１−３、及び、Ｆ５−６の力が、生体電位を監視するボール状接触電極部１を結膜又は角膜に対して目の所望の位置に永久的に配置された状態に維持させる（図１）。取り付け部４は、力Ｆ６により全ての方向に導電ワイヤ２の移動を制限するが、取り付け部からの導電ワイヤ２の長さ方向外方のドリフト力Ｆ３のほとんどは、接触電極１の表面の領域に向けられた力Ｆ３により引き起こされ、その中心から導電ワイヤ２は、接触電極部１が貫通することができない組織の薄い開口部を通して組織を貫通し始める。接触電極部１の移動は、一方では、導電ワイヤ２の方向に垂直に向けられ、組織により導電ワイヤ２に向けられた力Ｆ５により制限され、他方では、まぶたの内側表面と目の結膜／角膜とにより接触電極部１に向けられた力Ｆ１及びＦ２により、制限される。取り付け部４のみが導電ワイヤ２の他方の端部を当該箇所で動かない状態に固定し、導電ワイヤ２がその形状に戻るように曲げた後、戻ることができるとき、接触電極部１は、例えば、目及びまぶたの運動に起因して、それが屈従するが故に、目の表面にはあまり強い応力を与えない（図１）。上述された電極検出器は、それが移動自在で意識されない状態で、テスト動物６（例えば、ラット）の目のＥＲＧ応答を測定することに、適用することができる。これは、例えば、チャンバー７内で、視覚的刺激が、ミラー８及び９で反射された拡散光を指す場合であり、電極検出器の取り付け部４に接続された測定ワイヤ５が、通常の信号処理ユニット１０及び接触ワイヤ１１を通してデータ処理ユニット１２に測定情報を送信する状況において、適用される（図１）。従って、この技術を利用することによって、視覚的応答が、視覚的経路の他のポイント、例えば、上丘構造から登録される（図１及び図３）間に、自在に動くテスト動物の、目の機能のみならず、視神経の機能を評価することができる。
【００２１】
本発明の技術思想によれば、接触電極１−導電ワイヤ２−取り付け部４の構成の生体電位を監視する接触電極部１のボール形状は、それが組織内部に配置された状態では機械的刺激変化を引き起こさないようになっている。第２には、ボール状の接触電極１は、測定されるべき対象に、周囲の組織の運動により引き起こされ得る応力をそれほど強力には差し向けない。該電極は、可撓性導電ワイヤ２に接続されている間に、該電極に向けられた力の下に従うからである。該可撓性導電ワイヤは、曲がった後でその形状に戻り、その他方の端部は、測定されるべき対象から適切な距離の箇所に永久的に固定されている。第３には、内部の取り付け要素又は外部取り付け要素／材料、並びに、電極検出器の様々な側に周囲の組織により差し向けられる力（Ｆ１−３、Ｆ５−６）を利用することによる、電極検出器の取り付け部４の固定される能力は、ボール状接触電極部１を当該箇所に留まらせる。第４には、取り付け部の固定される能力は、測定ワイヤ５から接触電極部１に差し向けられる力の伝達を排除する。第５には、例えば差動増幅回路等の、信号を処理する電極検出器の一部（図示せず）は、測定ワイヤ５の移動により引き起こされ、その周囲から反射される干渉の、ワイヤ５で測定されるべき生体信号に関する比率を減少させる。
【００２２】
本発明の要旨の範囲内で、前述したものとは異なる解決手段及び用途が考えられる。そのような電極検出器は、ボール状接触電極部１、取り付け部４及び導電ワイヤ２の数、又は、それらが互いに接続される仕方を限定しない設計を含んでいてもよい。例えば、２つの接触電極１−導電ワイヤ２のユニットを、同じ取り付け部４に接続してもよく、又は、２つの接触電極部１を、一つの取り付け部４に接続された同じ導電ワイヤ２に交互に接続してもよい。説明された電極検出器は、ボール状接触電極ｂ１を、角膜に対して下側まぶたの下に又はまぶたに接して挿入し、下側まぶた又はその近傍の皮膚に接着剤付きステッカー若しくは吸引カップを用いて、取り付け部４を固定する状態で、人間の目からの視覚的応答の測定（ＥＲＧ）を可能にする。
【００２３】
説明された原理によれば、電極検出器は、生物対象が何であれ、それによって形成された電位変化を測定することにも適用可能であり、又は、登録に関連する問題が前述された通りであるところの他の物理量のものにも適用可能である。本発明は、与えられた有利な用途に限定するものではなく、請求の範囲で形成された本発明の技術思想の範囲内で変更可能である。
【図面の簡単な説明】
【００２４】
【図１】図１は、本発明に係る、ＥＲＧを測定する電極検出器を示す。
【図２】図２は、本発明に係る別の電極検出器を示す。
【図３】図３は、一例に係るＥＲＧを測定するための本発明の用途を示す。
【図１】
2005524434.tif 000003
【図２】
2005524434.tif 000004
【図３】
2005524434.tif 000005
【国際調査報告】
2005524434.tif 000006
2005524434.tif 000007